(57)【特許請求の範囲】
【請求項１】
１以上の蓄電素子を備えるコンテナ型蓄電ユニットであって、
前記１以上の蓄電素子を収納するとともに内部に人が立入可能な空間を有するコンテナを備え、
前記コンテナは、
前記コンテナの骨組みを形成する枠体と、
前記枠体に固定された、前記１以上の蓄電素子を支持する支持部材とを有し、
前記枠体は、上下方向に延設された第一柱を有し、
前記支持部材は、前記第一柱に固定されており、
前記第一柱は、前記コンテナの側壁部に配置された柱であり、
前記第一柱、前記支持部材、及び前記側壁部により、前記１以上の蓄電素子を収容するラックの少なくとも一部が構成され、
前記人が立入可能な空間は、前記１以上の蓄電素子を挟んで前記側壁部とは反対側に設けられている、
コンテナ型蓄電ユニット。
【請求項２】
前記支持部材は、前記第一柱から、コンテナの内部に向けて突出して配置される
請求項１に記載のコンテナ型蓄電ユニット。
【請求項３】
前記コンテナはさらに、前記コンテナの内部に配置され、前記支持部材を固定する第二柱を有する
請求項２に記載のコンテナ型蓄電ユニット。
【請求項４】
前記コンテナはさらに、前記枠体と、前記１以上の蓄電素子のうちのいずれかの蓄電素子との間の位置において前記支持部材に接触して配置された断熱材を有する
請求項１〜３のいずれか１項に記載のコンテナ型蓄電ユニット。
【発明の詳細な説明】
【技術分野】
【０００１】
本発明は、１以上の蓄電素子と、当該１以上の蓄電素子を収納するコンテナとを備えるコンテナ型蓄電ユニットに関する。
【背景技術】
【０００２】
従来、１以上の蓄電素子と、当該１以上の蓄電素子を収納するコンテナとを備える設備（以下、コンテナ型蓄電ユニットという）が知られている（例えば、特許文献１参照）。
【先行技術文献】
【特許文献】
【０００３】
【特許文献１】国際公開第２０１４／１０３０３８号
【発明の概要】
【発明が解決しようとする課題】
【０００４】
ここで、上記のような従来のコンテナ型蓄電ユニットにおいては、例えば、多数の蓄電素子が収容されたラックがコンテナ内に複数並んで配置される。これらラックは、例えば多くの蓄電素子を収容するために背が高い。そのため、地震等に起因する転倒を防止するための固定作業を複数のラックの各々に対して行う必要がある。
【０００５】
つまり、従来のコンテナ型蓄電ユニットでは、例えば、それぞれが大重量または大型の複数のラックをコンテナに搬入及び固定する必要がある。このことは、コンテナ型蓄電ユニットの設置作業の困難性を増す要因ともなる。
【０００６】
本発明は、上記従来の課題を考慮し、設置に係る作業を容易化することができるコンテナ型蓄電ユニットを提供することを目的とする。
【課題を解決するための手段】
【０００７】
上記目的を達成するために、本発明の一態様に係るコンテナ型蓄電ユニットは、１以上の蓄電素子を備えるコンテナ型蓄電ユニットであって、前記１以上の蓄電素子を収納するとともに内部に人が立入可能な空間を有するコンテナを備え、前記コンテナは、前記コンテナの骨組みを形成する枠体と、前記枠体に固定された、前記１以上の蓄電素子を支持する支持部材とを有する。
【０００８】
この構成によれば、コンテナの骨組みを形成する枠体を利用して、コンテナの内部において１以上の蓄電素子を支持する構造体（例えば、当該１以上の蓄電素子を収容するラック）を構成することができる。そのため、例えば、コンテナとは別体のラックをコンテナ内に設置する場合に必要となる、ラックの転倒防止のための固定部材の設置及びその調整等が不要であり、コンテナの搬送中においても、ラックの転倒等の事故の発生が抑制される。
【０００９】
また、コンテナ型蓄電ユニットを設置すべき現場にコンテナを配置し、その後に、蓄電素子の単位で、または、複数の蓄電素子で構成される蓄電モジュールの単位で、複数の蓄電素子を、順次、コンテナ内に収容することができる。つまり、例えば多数の蓄電素子が収容された大重量または大型のラックをコンテナ内に搬入して固定するような作業を行う必要がなく、例えば、重機を使用しなくても複数の蓄電素子をコンテナ内に収容することができる。
【００１０】
また、本発明の一態様に係るコンテナ型蓄電ユニットにおいて、前記枠体は、上下方向に延設された第一柱を有し、前記支持部材は、前記第一柱に固定されているとしてもよい。
【００１１】
この構成によれば、支持部材に掛けられる荷重を、上下方向に延設された第一柱が支える構造となるため、例えば、１以上の蓄電素子の荷重が比較的大きい場合であっても、安定して支えることができる。
【００１２】
また、本発明の一態様に係るコンテナ型蓄電ユニットにおいて、前記第一柱は、前記コンテナの側壁部に配置された柱であるとしてもよい。
【００１３】
この構成によれば、コンテナの壁際（側壁部近傍）の空間に１以上の蓄電素子を配置することができ、これにより、コンテナの内部空間の利用効率が向上する。その結果、例えばコンテナにおける蓄電素子の収容可能数を増加させることができる。また、コンテナ内における人の立ち入りが可能な空間の確保が容易である。また、側壁部が、第一柱を利用して構成されるラックの強度向上に寄与するため、例えばコンテナ型蓄電ユニットの安全性が向上する。
【００１４】
また、本発明の一態様に係るコンテナ型蓄電ユニットにおいて、前記支持部材は、前記第一柱から、コンテナの内部に向けて突出して配置されるとしてもよい。
【００１５】
この構成によれば、支持部材に掛けられる荷重は第一柱に支えられるため、例えば、支持部材の長さ（第一柱からの突出長さ）を比較的大きくすることができる。これにより、例えば、支持部材に支持させる蓄電素子の数を増加させることができる。
【００１６】
また、本発明の一態様に係るコンテナ型蓄電ユニットにおいて、前記コンテナはさらに、前記コンテナの内部に配置され、前記支持部材を固定する第二柱を有するとしてもよい。
【００１７】
この構成によれば、１つの支持部材が、２本の柱に固定されるため、例えば支持部材の耐荷重の向上が図られ、これにより、コンテナ型蓄電ユニットの安全性が向上する。また、支持部材をさらに長くすることができ、これにより支持部材に支持させる蓄電素子の数をさらに増加させることも可能である。
【００１８】
また、本発明の一態様に係るコンテナ型蓄電ユニットにおいて、前記コンテナはさらに、前記枠体と、前記１以上の蓄電素子のうちのいずれかの蓄電素子との間の位置において前記支持部材に接触して配置された断熱材を有するとしてもよい。
【００１９】
この構成によれば、例えば、枠体及び支持部材を介して、コンテナの外部の熱が、１以上の蓄電素子に伝導することが抑制される。このことは、例えば、コンテナ型蓄電ユニットが、比較的高温な地帯に配置される場合、または、比較的低温な地帯（寒冷地帯）に配置される場合に有利である。
【発明の効果】
【００２０】
本発明におけるコンテナ型蓄電ユニットによれば、設置に係る作業を容易化することができる。
【図面の簡単な説明】
【００２１】
【図１】実施の形態に係るコンテナ型蓄電ユニットの外観を示す斜視図である。
【図２】実施の形態に係るコンテナ型蓄電ユニットの内部の構成を示す斜視図である。
【図３】実施の形態に係るコンテナ型蓄電ユニットの機能構成を示すブロック図である。
【図４】実施の形態に係る蓄電モジュールの構成を示す斜視図である。
【図５】実施の形態に係る蓄電素子の構成を示す斜視図である。
【図７】実施の形態に係るラックの構成概要を示す斜視図である。
【図６】実施の形態に係るコンテナの枠体の構成概要を示す斜視図である。
【図８】実施の形態に係る枠体に支持部材が固定された状態を示す図である。
【図９】実施の形態に係る側壁部の構成概要を示す断面図である。
【図１０】実施の形態に係る枠体の一部として配置された内部柱を示す斜視図である。
【図１１】実施の形態に係るラックにおける断熱材の配置例を示す側面図である。
【図１２】実施の形態の変形例１に係るコンテナの特徴部分を示す斜視図である。
【図１３】実施の形態の変形例２に係るコンテナの特徴部分を示す斜視図である。
【図１４】実施の形態に係るラックに配置された補強部材の例を示す斜視図である。
【発明を実施するための形態】
【００２２】
以下、図面を参照しながら、本発明の実施の形態に係るコンテナ型蓄電ユニットについて説明する。なお、各図は、模式図であり、必ずしも厳密に図示したものではない。
【００２３】
また、以下で説明する実施の形態は、いずれも包括的または具体的な例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。
【００２４】
（実施の形態）
まず、コンテナ型蓄電ユニット１の構成について、説明する。図１は、本発明の実施の形態に係るコンテナ型蓄電ユニット１の外観を示す斜視図である。図２は、本発明の実施の形態に係るコンテナ型蓄電ユニット１の内部の構成を示す斜視図である。図３は、本発明の実施の形態に係るコンテナ型蓄電ユニット１の機能構成を示すブロック図である。
【００２５】
コンテナ型蓄電ユニット１は、内部に人が立入可能なコンテナ内に１以上の蓄電素子を収納した設備である。具体的には、図１に示すように、コンテナ型蓄電ユニット１は、コンテナ１０を備えている。また、図２及び３に示すように、コンテナ型蓄電ユニット１は、コンテナ１０の内部に、複数の蓄電装置１００（本実施の形態では、８つの蓄電装置１０１〜１０８）と、複数のパワーコンディショナ２００（本実施の形態では、２つのパワーコンディショナ２０１、２０２）と、制御装置３００とを備えている。
【００２６】
具体的には、コンテナ１０は、対向して配置された２つのラック１１０を有し、１つのラック１１０に収容された複数の蓄電モジュール１２０によって、４つの蓄電装置１００が構成されている。複数の蓄電モジュール１２０のそれぞれは後述する蓄電素子１２２を複数有している。
【００２７】
本実施の形態では、ラック１１０において、前後（Ｘ軸方向）に並ぶ一組の柱で区画される４つの領域それぞれに収容された１２個（３個×４段）の蓄電モジュール１２０によって１つの蓄電装置１００が構成されている。なお、各蓄電装置１００が備える電力線及び信号線等の要素についての図示は省略されている。また、１つの蓄電装置１００が備える蓄電モジュール１２０の数に特に限定はなく、例えば、１つのラック１１０に収容された全ての蓄電モジュール１２０によって１つの蓄電装置１００が構成されてもよい。つまり、１つのラック１１０が、１つの蓄電装置１００のために設けられてもよい。
【００２８】
また、図２において、ラック１１０の基本構成を明確にするために、手前側（Ｘ軸方向プラス側）のラック１１０は点線で簡易に図示されており、かつ、４つの蓄電装置１００（１０５〜１０８）の図示は省略している。本実施の形態に係るラック１１０は、コンテナ１０の枠体の一部を含む構造体であり、耐震性に優れる等の特徴を有している。ラック１１０についての詳細は、図７〜図１０を用いて後述する。
【００２９】
ここで、コンテナ１０内において蓄電装置１００は複数設けられていなくともよく、１つの蓄電装置１００しか設けられていない構成でもかまわない。また、パワーコンディショナ２００についても同様に、１つのパワーコンディショナ２００しか設けられていない構成でもかまわない。また、制御装置３００については、複数の制御装置３００が設けられている構成でもよい。
【００３０】
コンテナ１０は、内部に人が立入可能な空間を有するコンテナである。つまり、コンテナ１０は、内部の機器のメンテナンス時などに内部に人が立ち入れるほどの大きさを有する金属製の中空かつ直方体形状の箱体である。具体的には、コンテナ１０は、複数の蓄電モジュール１２０を有する蓄電装置１００を収納し、土地に自立して設置されている。なお、コンテナ１０は、いわゆるシェルタなどの箱体や、トラックや列車などの輸送手段によって搬送可能な箱体なども含む概念である。
【００３１】
例えば、コンテナ１０の一例として、蓄電装置１００を収納するいわゆる専用コンテナのうち、建築物には該当しない専用コンテナが挙げられるが、これに限定されない。国住指第４８４６号では、このような建築物には該当しない専用コンテナは、蓄電素子１２２、その他蓄電素子１２２としての機能を果たすため必要となる設備、及びそれらの設備を設置するための空間その他の蓄電素子１２２としての機能を果たすため必要となる最小限の空間のみを内部に有していると定義されている。また、この場合、コンテナ１０は、稼動時は無人であり、機器の重大な障害発生時等を除いて内部に人が立ち入らないこととされている。また、この場合、コンテナ１０は、複数積み重ねられて使用されることはないと定義されている。
【００３２】
ここで、コンテナ１０は、基本的な構成として、コンテナ１０の骨組みを形成する枠体と、枠体に取り付けられた板状部材とを備えている。枠体は複数の柱及び梁等を有している。具体的には、コンテナ１０は、それぞれが、枠体の一部と板状部材とで構成される、下壁部１１と、側壁部１２、１３、１４及び１５と、上壁部１６とを有している。また、コンテナ１０は、内部に、コンテナ１０内の空間を２つの部屋に仕切る間仕切壁１７を有している。なお、コンテナ１０の枠体については、図６を用いて後述する。
【００３３】
下壁部１１は、コンテナ１０の底部に配置された壁であり、底面を形成する矩形状の板状部材である床板と、当該床板の下方に配置された複数の梁とを有している。当該梁は、例えばＸ軸方向（またはＹ軸方向）に延びる長尺状部材であり、床板を下方から支えるとともに、当該床板を補強する。なお、床板及び梁の材質は特に限定されないが、金属等の強度の高い材質によって形成されているのが好ましい。
【００３４】
側壁部１２、１３、１４及び１５は、下壁部１１から立設して配置されたコンテナ１０の側壁であり、下壁部１１の外縁に沿って、下壁部１１を囲うように配置されている。側壁部１２、１３、１４及び１５のそれぞれは、側面を形成する矩形状の板状部材と、当該板状部材を補強する複数の柱とを有している。つまり、当該柱は、下壁部１１の外縁に接続され、かつ、上下方向（Ｚ軸方向、以下同じ）に延設された部材である。なお、当該板状部材及び柱の材質は特に限定されないが、金属等の強度の高い材質によって形成されているのが好ましい。
【００３５】
側壁部１２は、コンテナ１０の長側面のうちＸ軸方向プラス側の面（前面）に配置された壁であり、側壁部１４は、コンテナ１０の長側面のうちＸ軸方向マイナス側の面（背面）に配置された壁である。ここで、側壁部１２には、開閉扉１２ａが設けられている。開閉扉１２ａは、蓄電装置１００及び制御装置３００を収容する部屋への出入口となる矩形状の扉であり、開閉可能に設置されている。つまり、側壁部１２には、人が出入りできるほどの大きさの開口部が形成されており、開閉扉１２ａは、当該開口部を開閉可能に取り付けられている。
【００３６】
側壁部１３は、コンテナ１０の短側面のうちＹ軸方向プラス側の面に配置された壁であり、側壁部１５は、コンテナ１０の短側面のうちＹ軸方向マイナス側の面に配置された壁である。ここで、側壁部１３には、開閉扉１３ａが設けられている。開閉扉１３ａは、パワーコンディショナ２００を収容する部屋への出入口となる矩形状の扉であり、開閉可能に設置されている。つまり、側壁部１３には、人が出入りできるほどの大きさの開口部が形成されており、開閉扉１３ａは、当該開口部を開閉可能に取り付けられている。
【００３７】
なお、図１に示される、開閉扉１２ａ及び開閉扉１３ａそれぞれの位置は例示であり、これらの位置は、図１に示される位置に限定されない。例えば、開閉扉１２ａは、側壁部１２において、図１に示される位置とは異なる位置に配置されてもよく、他の側壁部（例えば側壁部１５）に配置されていてもよい。また、開閉扉１３ａが、例えば側壁部１２に配置されていてもよい。
【００３８】
上壁部１６は、コンテナ１０の上部に配置された天井（屋根）を構成する壁であり、側壁部１２、１３、１４及び１５の上方に配置されている。つまり、上壁部１６は、外縁が側壁部１２、１３、１４及び１５の上端に接続されて配置されている。また、上壁部１６は、天面を形成する矩形状の板状部材と、当該板状部材を補強する複数の梁とを有している。当該梁は、例えばＸ軸方向（またはＹ軸方向）に延びる長尺状部材である。なお、当該板状部材及び梁の材質は特に限定されないが、金属等の強度の高い材質によって形成されているのが好ましい。
【００３９】
間仕切壁１７は、蓄電装置１００とパワーコンディショナ２００との間に配置され、蓄電装置１００が配置される空間とパワーコンディショナ２００が配置される空間とを仕切る壁である。つまり、間仕切壁１７は、側壁部１３及び１５と平行、かつ、下壁部１１、側壁部１２、１４及び上壁部１６の４つの壁に囲まれるように当該４つの壁に接して配置された矩形状の板状部材である。なお、間仕切壁１７は、他の壁と同様に、柱または梁を有してもよい。
【００４０】
以上のように、コンテナ１０を構成する壁部（下壁部１１、側壁部１２、１３、１４、１５、上壁部１６、及び間仕切壁１７）は、板状部材を有している。当該板状部材は、波板など、どのような形状の部材であってもかまわないが、コンテナ１０内の利用可能な容積を広げる等の観点から、平板状の部材であるのが好ましい。また、コンテナ１０内の温度管理等の観点から、当該壁部は、内部に断熱材を有してもよい。
【００４１】
蓄電装置１００は、後述の複数の蓄電素子１２２を有する蓄電モジュール１２０を複数備えた装置である。本実施の形態では、コンテナ１０内において、２つのラック１１０を利用して、８つの蓄電装置１００（蓄電装置１０１〜１０８）が構成されている。
【００４２】
これら８つの蓄電装置１００は、蓄電装置１０１〜１０４で構成される第一系統と、蓄電装置１０５〜１０８で構成される第二系統との２つの系統に分かれて、配置されている。なお、第一系統及び第二系統のそれぞれでは、例えば、１つの蓄電装置１００において直列に接続された１２個の蓄電モジュール１２０が、４セット並列に接続されている。
【００４３】
ここで、側壁部１４に沿って設けられたラック１１０と、側壁部１２に沿って設けられたラック１１０との間に、機器の重大な障害発生時等に人が立入可能な空間が形成されている。つまり、第一系統の蓄電装置１０１〜１０４は、側壁部１４の内側面に沿ってＹ軸方向に並んで配置されており、第二系統の蓄電装置１０５〜１０８は、側壁部１２の内側面に沿ってＹ軸方向に並んで配置されている。これにより、第一系統の蓄電装置１０１〜１０４と第二系統の蓄電装置１０５〜１０８との間に当該空間が形成されている。
【００４４】
なお、系統の数、１系統に含まれる蓄電装置１００の数、蓄電装置１００が有する蓄電モジュール１２０の数、蓄電モジュール１２０が有する蓄電素子１２２の数、直列に接続される蓄電モジュール１２０（蓄電素子１２２）の数などは、一例であり、上記の数に限定されない。
【００４５】
パワーコンディショナ２００は、コンテナ１０の蓄電装置１００とは反対側（Ｙ軸方向プラス側）に、側壁部１４に沿って配置される、外形が矩形状のパワーコンディショナ（Ｐｏｗｅｒ  Ｃｏｎｄｉｔｉｏｎｉｎｇ  Ｓｙｓｔｅｍ：ＰＣＳ）である。パワーコンディショナ２００は、外部の電力系統と蓄電装置１００とを繋ぎ、蓄電装置１００への電力を交流から直流に変換したり、蓄電装置１００からの電力を直流から交流に変換したりする交直変換装置である。
【００４６】
具体的には、図３に示すように、パワーコンディショナ２００は、蓄電装置１００に接続（つまり、制御装置３００を介して複数の蓄電モジュール１２０、すなわち複数の蓄電素子１２２に接続）されるとともに、外部の電力系統（商用電力系統２及び電力負荷３など）に接続されている。そして、パワーコンディショナ２００は、蓄電素子１２２の充電時に、当該電力系統から交流電力を受電した場合には、当該交流電力を直流電力に変換し、蓄電装置１００へ送電する。また、パワーコンディショナ２００は、蓄電装置１００に貯蔵されている電力を電力系統に供給するために、蓄電装置１００からの直流電力を交流電力に変換して、電力系統へ送電する。
【００４７】
ここで、本実施の形態では、２つのパワーコンディショナ２００（パワーコンディショナ２０１、２０２）が設けられており、それぞれのパワーコンディショナ２００は、電源線５１０、５２０及び制御装置３００を介して、蓄電装置１００の各系統に接続されている。電源線５１０、５２０は、蓄電装置１００の充放電による電流が流れる配線（ケーブル）である。つまり、パワーコンディショナ２０１は、電源線５１０、５２０及び制御装置３００を介して、第一系統の蓄電装置１０１〜１０４に接続され、パワーコンディショナ２０２は、電源線５１０、５２０及び制御装置３００を介して、第二系統の蓄電装置１０５〜１０８に接続されている。これにより、蓄電装置１０１〜１０８の充放電が行われる。
【００４８】
なお、パワーコンディショナ２００は、変圧器を介して、外部の電力系統と接続されているが、詳細な説明は省略する。また、パワーコンディショナ２００の外形は、矩形状には限定されず、円柱形状など種々の形状が適用可能である。
【００４９】
図２に戻り、制御装置３００は、蓄電装置１００とパワーコンディショナ２００との間に配置される外形が矩形状の装置であり、蓄電装置１００を制御する。ここで、制御装置３００は、間仕切壁１７に沿って配置されている。具体的には、制御装置３００は、間仕切壁１７の蓄電装置１００側に配置されている。つまり、間仕切壁１７によって仕切られた２つの部屋のうちの一方の部屋（Ｙ軸方向マイナス側の部屋）に、蓄電装置１００と制御装置３００とが収容され、他方の部屋（Ｙ軸方向プラス側の部屋）にパワーコンディショナ２００が収容されている。なお、蓄電装置１００と制御装置３００とは、機器の重大な障害発生時等に人が立入可能な空間が形成されるように、離間して配置されている。
【００５０】
ここで、制御装置３００は、蓄電装置１００の主回路を集合させ、並列接続し、パワーコンディショナ２００と取り合うための中継の役割を担っている。また、制御装置３００は、蓄電装置１００が有する蓄電モジュール１２０（または蓄電素子１２２）の充電状態や放電状態等に関する情報（電圧、温度など）を取得して監視する。つまり、制御装置３００には、当該情報を集合させてシステム全体の情報を取りまとめる監視装置が収納されている。また、制御装置３００は、パワーコンディショナ２００に対して充放電指令を行うことで、蓄電装置１００が有する蓄電モジュール１２０（または蓄電素子１２２）を制御する。つまり、制御装置３００には、充放電制御装置が収納されている。
【００５１】
具体的には、図３に示すように、制御装置３００は、電源線５１０を介して、各系統に含まれる蓄電装置１００（蓄電装置１０１〜１０８）と接続され、電源線５２０を介して、パワーコンディショナ２００と接続されている。また、制御装置３００は、通信線５３０を介して、各系統に含まれる蓄電装置１００（蓄電装置１０１〜１０８）に接続されている。通信線５３０は、蓄電装置１００からの情報、または蓄電装置１００への情報を伝達する配線（ケーブル）である。これにより、蓄電装置１００が有する蓄電モジュール１２０（または蓄電素子１２２）の充電状態及び放電状態等の情報が制御装置３００に送られる。
【００５２】
また、制御装置３００は、通信線５４０を介して、パワーコンディショナ２００に接続されており、パワーコンディショナ２００に充放電指令を送信し、蓄電装置１００の充放電を制御する。通信線５４０は、パワーコンディショナ２００からの情報、またはパワーコンディショナ２００への情報を伝達する配線（ケーブル）である。つまり、パワーコンディショナ２０１及び２０２は、通信線５４０を介して送信された制御装置３００からの充放電指令に従って、第一系統の蓄電装置１０１〜１０４及び第二系統の蓄電装置１０５〜１０８の充放電を制御する。
【００５３】
なお、制御装置３００は、上記の充放電制御装置を有していない構成（いわゆる蓄電池集合盤）であってもかまわないし、さらに、上記の監視装置を有していない構成であってもかまわない。この場合、コンテナ型蓄電ユニット１は、充放電制御装置または監視装置を別体として有していてもよいし、有していない構成でもかまわない。
【００５４】
次に蓄電モジュール１２０の具体的な構成について、詳細に説明する。図４は、本発明の実施の形態に係る蓄電モジュール１２０の構成を示す斜視図である。具体的には、同図は、蓄電モジュール１２０の収容ケース１２１を透過して蓄電モジュール１２０の内部構成を示している。
【００５５】
蓄電モジュール１２０は、外部からの電気を充電し、また外部へ電気を放電することができる機器（電池モジュール）である。図４に示すように、蓄電モジュール１２０は、蓄電モジュール１２０の外装体を構成する収容ケース１２１と、収容ケース１２１内に収容された複数の蓄電素子１２２とを備えている。収容ケース１２１は、中空の直方体形状（箱型）の部材であり、複数の蓄電素子１２２を覆うように配置されている。収容ケース１２１は、絶縁を確保する等の観点から、樹脂等の絶縁性の材質によって形成されているのが好ましい。
【００５６】
なお、同図では、蓄電モジュール１２０は、１２個の矩形状の蓄電素子１２２を備えているが、蓄電素子１２２の個数は１２には限定されない。蓄電モジュール１２０は、少なくとも１つの蓄電素子１２２を有すればよい。また、蓄電素子１２２の形状も限定されず、円柱形状や長円柱形状などであってもよい。また、蓄電モジュール１２０は、蓄電素子１２２同士を電気的に接続するバスバー、及び、蓄電素子１２２間に配置されるスペーサなども備えているが、詳細な説明は省略する。
【００５７】
図５は、本発明の実施の形態に係る蓄電素子１２２の構成を示す斜視図である。具体的には、同図は、蓄電素子１２２の容器から容器本体１２２ｂを分離して、当該容器の内部を示した図となっている。
【００５８】
蓄電素子１２２は、電気を充電し、また、電気を放電することのできる二次電池であり、より具体的には、リチウムイオン二次電池などの非水電解質二次電池である。なお、蓄電素子１２２は、非水電解質二次電池には限定されず、非水電解質二次電池以外の二次電池であってもよいし、キャパシタであってもかまわない。
【００５９】
同図に示すように、蓄電素子１２２は、容器を構成する容器蓋体１２２ａ及び容器本体１２２ｂと、正極端子１２２ｃと、負極端子１２２ｄとを備え、容器内部には、正極集電体１２２ｅと、負極集電体１２２ｆと、電極体１２２ｇとが配置されている。なお、容器内部には電解液などの液体が封入されているが、当該液体の図示は省略する。
【００６０】
容器本体１２２ｂは、金属からなる矩形筒状で底を備える部材であり、容器蓋体１２２ａは、容器本体１２２ｂの開口を閉塞する金属製の部材である。この容器本体１２２ｂの内部に電極体１２２ｇ等が収容され、容器蓋体１２２ａと容器本体１２２ｂとが溶接等されることにより、容器の内部が密封される。
【００６１】
電極体１２２ｇは、正極と負極とセパレータとを備え、電気を蓄えることができる発電要素である。具体的には、電極体１２２ｇは、正極と負極との間にセパレータが挟み込まれるように層状に配置されたものが巻回されて長円形状に形成された巻回型の電極体である。なお、電極体１２２ｇは、円形状または楕円形状などに形成されていてもよいし、正極と負極とセパレータとが積層された積層型の電極体であってもかまわない。
【００６２】
正極は、アルミニウムまたはアルミニウム合金などからなる長尺帯状の導電性の正極集電箔の表面に、正極活物質層が形成された電極板である。負極は、銅または銅合金などからなる長尺帯状の導電性の負極集電箔の表面に、負極活物質層が形成された電極板である。なお、正極活物質層に用いられる正極活物質、及び負極活物質層に用いられる負極活物質としては、リチウムイオンを吸蔵放出可能なものであれば、適宜公知の材料を使用できる。
【００６３】
正極端子１２２ｃは、正極集電体１２２ｅを介して、電極体１２２ｇの正極に電気的に接続された電極端子であり、負極端子１２２ｄは、負極集電体１２２ｆを介して、電極体１２２ｇの負極に電気的に接続された電極端子である。つまり、正極端子１２２ｃ及び負極端子１２２ｄは、電極体１２２ｇに蓄えられている電気を蓄電素子１２２の外部空間に導出し、また、電極体１２２ｇに電気を蓄えるために蓄電素子１２２の内部空間に電気を導入するための金属製の電極端子である。
【００６４】
正極集電体１２２ｅは、電極体１２２ｇの正極と容器本体１２２ｂの側壁との間に配置され、正極端子１２２ｃと当該正極とに電気的に接続される導電性と剛性とを備えた部材である。なお、正極集電体１２２ｅは、当該正極の正極集電箔と同様、アルミニウムまたはアルミニウム合金などを主成分とする金属で形成されている。
【００６５】
負極集電体１２２ｆは、電極体１２２ｇの負極と容器本体１２２ｂの側壁との間に配置され、負極端子１２２ｄと当該負極とに電気的に接続される導電性と剛性とを備えた部材である。なお、負極集電体１２２ｆは、当該負極の負極集電箔と同様、銅または銅合金などを主成分とする金属で形成されている。
【００６６】
次に、コンテナ１０が備える枠体２０及びラック１１０の構成について、図７〜図１０を用いて説明する。なお、以下では、コンテナ１０が備える２つのラック１１０のうちの一方（Ｘ軸方向マイナス側）について図示及びその説明を行い、他方（Ｘ軸方向プラス側）のラック１１０についての図示及びその説明は省略する。
【００６７】
図６は、実施の形態に係るコンテナ１０の枠体２０の構成概要を示す斜視図である。図７は、実施の形態に係るラック１１０の構成概要を示す斜視図である。なお、図７では、ラック１１０の構成を明確に示すために、ラック１１０に収容された複数の蓄電モジュール１２０のうち、１つの蓄電装置１００が有する１２個の蓄電モジュール１２０のみを図示し、他の蓄電モジュール１２０の図示は省略されている。
【００６８】
図８は、実施の形態に係る枠体２０に支持部材３１が固定された状態を示す図である。なお、図８では、支持部材３１と枠体２０との関係を明確にするために、枠体２０の一部を切り取って図示している。また、支持部材３１が枠体２０に固定される時点において、枠体２０には、コンテナ１０の外壁及び内壁を形成する板状部材が取り付けられた状態であってもよいが、図８では、支持部材３１と枠体２０との関係を明確にするために、これら板状部材の図示は省略されている。
【００６９】
図６に示すように、実施の形態に係るコンテナ１０は、コンテナ１０の骨組み（骨格）を形成する枠体２０を備える。枠体２０は、主要な構成要素として、複数の長尺状部材を有している。また、これら長尺状部材のそれぞれは、例えば他の２以上の長尺状部材と接続されている。これらの長尺状部材は、例えば、剛性の高い鋼材に曲げ加工等を施すことで作製される。なお、枠体２０は、例えば「フレーム」または「フレーム構造体」と表現することもできる。また、図６に示される枠体２０の構造は一例であり、例えば、２つの長尺状部材の間に斜めに配置される筋交い等の他の部材が、枠体２０の一部としてコンテナ１０に備えられてもよい。
【００７０】
具体的には、本実施の形態に係る枠体２０は、図６に示すように、一対の下部横柱２３、一対の下部横柱２４、４つの隅柱２２、一対の上部横柱２６、及び、一対の上部横柱２７を有する。これら１２本の長尺状部材により、全体として直方体形状であるコンテナ１０の外形が形成さている。
【００７１】
より詳細には、一対の下部横柱２３及び一対の下部横柱２４により、下壁部１１（図１参照）の周縁部が形成される。また、一対の上部横柱２６及び一対の上部横柱２７により、上壁部１６（図１参照）の周縁部が形成される。さらに、４つの隅柱２２のそれぞれによって、下壁部１１の角部と上壁部１６の角部とが接続される。
【００７２】
また、枠体２０はさらに、上下方向に並ぶ下部横柱２３と上部横柱２６との間に渡された複数の側壁柱２１と、一対の下部横柱２３の間に渡された複数の下部梁２５と、一対の上部横柱２６の間に渡された複数の上部梁２８とを有する。
【００７３】
これら側壁柱２１、下部梁２５、及び上部梁２８は、コンテナ１０の強度の向上とともに、枠体２０に、コンテナ１０の内部と外部とを区画する壁面（板状部材）を取り付ける際の、取り付け相手としての役割を担う。
【００７４】
側壁柱２１は、第一柱の一例であり、本実施の形態では、側壁部１４に配置された柱である。側壁柱２１は、上述のコンテナ１０の強度の向上等の役割を担うとともに、図７及び図８に示すように、ラック１１０の一部を構成する柱として利用されている。
【００７５】
なお、図６等では、枠体２０が有する、隅柱２２以外の長尺状部材は、角柱状に簡略化されて図示されているが、枠体２０が有する複数の長尺状部材の形状は、角柱状には限定されない。これら長尺状部材のそれぞれは、例えば、長手方向に直交する断面形状が円形、Ｌ字状、Ｈ字状、Ｖ字状、Ｕ字状、Ｃ字状、Ｉ字状、または、１つの辺を欠いた矩形状であってもよい。
【００７６】
図９は、実施の形態に係る側壁部１４の構成概要を示す断面図である。具体的には、図９は、図７におけるＩＸ−ＩＸ断面の一部を示している。
【００７７】
図９に示すように、側壁部１４は、外板１４ａと、内張板１４ｂと、外板１４ａ及び内張板１４ｂの間に配置された断熱材１４ｃと、側壁柱２１とを有する。
【００７８】
外板１４ａは、側壁部１４の外壁を構成する板状部材であり、例えば、鋼板などの金属によって形成されている。内張板１４ｂは、側壁柱２１と外板１４ａとで囲まれた、断熱材１４ｃが収容される凹部を塞ぐように配置される板状部材であり、例えば、鋼板などの金属によって形成されている。
【００７９】
外板１４ａ及び内張板１４ｂのそれぞれは、１以上の側壁柱２１に対し、例えば溶接またはリベット等によって固定されている。このように構成された側壁部１４において、支持部材３１が固定される側壁柱２１は、Ｙ軸方向に略等間隔で複数配列されている。
【００８０】
本実施の形態に係るラック１１０は、具体的には図７及び図８に示すように、枠体２０に固定された支持部材３１を有する。支持部材３１は、１以上の蓄電素子１２２を支持する部材である。本実施の形態では、支持部材３１は、枠体２０が有する上下方向に延設された柱である側壁柱２１に固定されている。支持部材３１は、例えば溶接によって側壁柱２１に固定されている。支持部材３１の側壁柱２１に対する固定方法は溶接に限定されず、例えば、ボルト及びナットによる締結またはリベットによる締結が当該固定方法として採用されてもよい。
【００８１】
また、支持部材３１は、本実施の形態では、側壁柱２１から、コンテナ１０の内部に向けて突出して配置されており、棚板３２を介して、複数の蓄電モジュール１２０を下方から支持している。棚板３２は、Ｙ軸方向に並ぶ５つの支持部材３１を渡すように配置されており、例えばこれら支持部材３１に固定されている。ここで、棚板３２は、支持部材３１と一体の部材とみなすこともできるため、少なくとも１つの支持部材３１と１枚の棚板３２との組み合わせを「支持部材」と表現することもできる。また、棚板３２の支持部材３１に対する固定方法に特に限定はないが、ボルト及びナットもしくはリベットによる締結、または溶接等が例示される。
【００８２】
また、本実施の形態では、支持部材３１はさらに、図７に示すように、コンテナ１０の内部に配置された内部柱４０に固定されている。内部柱４０は、上下方向に延設された柱であり、コンテナ１０の内部において下壁部１１と上壁部１６とを接続する柱である。本実施の形態では、複数の支持部材３１のそれぞれは、両端のうちの一端が側壁柱２１に固定され、他端が内部柱４０に固定されている。なお、内部柱４０は、下壁部１１及び上壁部１６の一方にのみ固定されていてもよい。
【００８３】
また、内部柱４０は、その両端が、下壁部１１の上面（床面）と、上壁部１６の下面（天面）とに固定されることで設置されてもよく、また、枠体２０の一部としてコンテナ１０に設けられてもよい。
【００８４】
図１０は、実施の形態に係る枠体２０の一部として配置された内部柱４０を示す斜視図である。図１０に示すように、例えば、上下方向において対向して配置された１対の下部梁２５と上部梁２８との間を渡すように、内部柱４０が配置されてもよい。これにより、例えば、枠体２０の強度が向上するとともに、ラック１１０の柱としての、内部柱４０の信頼性も向上する。
【００８５】
また、本実施の形態では、上下方向に４段の棚板３２が配置されており、各棚板３２は、Ｙ軸方向に並ぶ４つの蓄電装置１００（図２参照）に共用される。なお、各棚板３２の素材に特に限定はないが、例えば鋼板などの金属によって構成される。また、各棚板３２は、一体の構造物でなくてもよく、例えば、Ｙ軸方向に並んで配置された４枚の板材であって、それぞれが２つの支持部材３１に渡される４枚の板材によって、１つの棚板３２が構成されてもよい。また、棚板３２の段数も４には限定されず、１〜３のいずれかであってもよく、５以上であってもよい。例えば、コンテナ型蓄電ユニット１の用途もしくは要求される仕様、または、コンテナ１０のサイズ等に応じて、棚板３２の段数（枚数）等のラック１１０の仕様が決定されてもよい。
【００８６】
以上説明したように、本実施の形態に係るコンテナ型蓄電ユニット１は、コンテナ１０の枠体２０の一部を利用して構成された、１以上の蓄電素子１２２を収容するラック１１０を備える。具体的には、コンテナ１０は、コンテナ１０の骨組みを構成する枠体２０と、枠体２０に固定された、１以上の蓄電素子１２２を支持する支持部材３１を有する。
【００８７】
この構成によれば、例えば、コンテナ１０とは別体のラックをコンテナ１０内に設置する場合に必要となる、ラックの転倒防止のための固定部材の設置及びその調整等が不要であり、コンテナ１０の搬送中においても、ラック１１０の転倒等の事故の発生が抑制される。
【００８８】
つまり、枠体２０自体が、ラック１１０の一部を構成するため、従来のようなラックごとの姿勢の調整、及び、ラックごとの転倒防止のための後付の部材は不要である。そのため、例えばコンテナ１０の側壁柱２１が鉛直方向に平行となるように、コンテナ１０の姿勢を調整することで、複数の蓄電装置１００の姿勢を、鉛直方向に平行な姿勢に一括して揃えることができる。このことは、例えば、性能または安全性の観点から、複数の蓄電装置１００それぞれの姿勢の調整が必要である場合において有利である。
【００８９】
また、コンテナ型蓄電ユニット１を設置すべき現場にコンテナ１０を配置し、その後に、蓄電素子１２２の単位で、または、蓄電モジュール１２０の単位で、複数の蓄電素子１２２を、順次、コンテナ１０内に収容することができる。つまり、多数の蓄電素子１２２が収容された大重量または大型のラックをコンテナ内に搬入して固定するような作業を行う必要がない。つまり、例えば重機を使用しなくても、複数の蓄電素子１２２をコンテナ１０内に収容することができる。
【００９０】
また、支持部材３１が枠体２０に固定されることで、例えば、蓄電素子１２２からの熱をコンテナ１０の外殻に伝導させるためのパスが、支持部材３１及び枠体２０によって形成される。本実施の形態では、例えば図９に示すように、支持部材３１は、側壁柱２１に固定され、かつ、側壁部１４の外板１４ａは、側壁柱２１に固定される。つまり、支持部材３１と、外板１４ａとの間には、側壁柱２１によって熱伝導のためのパスが形成されている。つまり、コンテナ１０の構造そのものによって、コンテナ１０内の１以上の蓄電素子１２２についての放熱性を向上させることも可能である。
【００９１】
また、本実施の形態では、４台分の蓄電装置１００が有する複数の蓄電素子１２２（複数の蓄電モジュール１２０）を収容するラック１１０が、５本の側壁柱２１を利用して構成されている。そのため、４台の蓄電装置１００ごとのラックを作製する場合と比較すると、ラック１１０の作製に必要な材料の削減が可能となる。
【００９２】
このように、本実施の形態に係るコンテナ型蓄電ユニット１によれば、設置に係る作業を容易化することができる。
【００９３】
また、支持部材３１が固定された柱（第一柱）は、枠体２０が有する上下方向に延設された（本実施の形態では側壁柱２１）である。つまり、支持部材３１に掛けられる荷重を、当該荷重の方向に沿った方向である上下方向に延設された側壁柱２１が支える構造となる。そのため、例えば、支持部材３１が支持すべき１以上の蓄電素子１２２の合計の荷重が比較的大きい場合であっても、安定して支えることができる。
【００９４】
また、支持部材３１が固定された柱（第一柱）が、側壁部１４に配置された側壁柱２１であることにより、コンテナ１０の壁際（側壁部１４近傍）の空間に１以上の蓄電素子１２２を配置することができる。これにより、例えば、コンテナ１０の内部空間の利用効率が向上する。また、コンテナ１０内における、人の立ち入りが可能な空間の確保が容易である。また、側壁部１４が、側壁柱２１を利用して構成されるラック１１０の強度向上に寄与するため、例えばコンテナ型蓄電ユニット１の安全性が向上する。
【００９５】
また、支持部材３１は、側壁柱２１から、コンテナ１０の内部に向けて突出して配置される。側壁柱２１は、上述のように枠体２０の一部であって、かつ、上下方向に延設された柱であるため、支持部材３１に掛けられる荷重を安定的に支えることができる。そのため、例えば、支持部材３１の長さ（側壁柱２１からの突出長さ）を比較的大きくすることができる。これにより、例えば、支持部材３１に支持させる蓄電素子１２２の数を増加させることができる。
【００９６】
また、コンテナ１０はさらに、コンテナ１０の内部に配置され、支持部材３１を固定する内部柱４０を有する。つまり、支持部材３１が、２本の柱に固定されるため、例えば支持部材３１の耐荷重の向上が図られる。これにより、コンテナ型蓄電ユニット１の安全性が向上する。また、支持部材３１をさらに長くすることができ、これにより支持部材３１に支持させる蓄電素子１２２の数をさらに増加させることも可能である。また、内部柱４０が、例えば図１０に示すように枠体２０の一部である場合、内部柱４０は、枠体２０の強度の向上に寄与するとともに、ラック１１０に許容される最大荷重の増加にも寄与する。
【００９７】
ここで、支持部材３１が枠体２０に固定されることにより、上述のように、支持部材３１に支持される蓄電素子１２２と、コンテナ１０の外殻との間の熱伝導のパスが形成される。そこで、ラック１１０は、当該パスを介して、コンテナ１０の外殻からコンテナ１０内の蓄電素子１２２への熱伝導を抑制するための構成を有してもよい。
【００９８】
図１１は、実施の形態に係るラック１１０における断熱材７０の配置例を示す側面図である。なお、図１１は、ラック１１０をＹ軸方向マイナス側からみた場合のラック１１０の一部を図示しており、側壁部１４が有する、側壁柱２１以外の要素の図示は省略されている。また、棚板３２及び断熱材７０のそれぞれは、視認しやすいようにハッチングが付されている。
【００９９】
図１１に示すように、例えば、ラック１１０において、棚板３２と支持部材３１との間に、断熱材７０を配置する。これにより、支持部材３１から棚板３２への熱伝導は抑制される。その結果、コンテナ１０の外部から、棚板３２に載置された１以上の蓄電素子１２２（１以上の蓄電モジュール１２０）への熱伝導は抑制される。
【０１００】
上記構造は、例えば、コンテナ型蓄電ユニット１が、比較的高温な地帯に配置される場合など、環境温度の平均値または最大値が比較的に高い場合において、コンテナ１０内の蓄電素子１２２の、外部の熱からの保護という観点から有利である。また、コンテナ型蓄電ユニット１が、比較的低温な地帯（寒冷地帯）に配置される場合において、コンテナ１０内の蓄電素子１２２の、外部の冷気からの保護という観点から有利である。
【０１０１】
なお、断熱材７０の素材に特に限定はないが、例えば、ゴム、ウレタン、またはグラスウールなどが、断熱材７０の素材として採用される。また、支持部材３１と棚板３２との間に断熱材７０を配置する場合、支持部材３１と棚板３２とは、例えば、支持部材３１、断熱材７０、及び、棚板３２を貫通する締結部材（ボルト及びナット、または、リベットなど）によって締結される。また、支持部材３１と棚板３２との接触箇所を一部に設けて当該接触箇所を溶接することで、棚板３２を支持部材３１に固定してもよい。
【０１０２】
また、断熱材７０の配置位置も、支持部材３１と棚板３２との間以外であってもよい。例えば、支持部材３１と側壁柱２１との間に断熱材７０を挟みこんだ状態で、支持部材３１をボルト等によって側壁柱２１に固定してもよい。
【０１０３】
つまり、コンテナ１０が、枠体２０と、支持部材３１に支持される１以上の蓄電素子１２２のうちのいずれかの蓄電素子１２２との間の位置において支持部材３１に接触して配置された断熱材７０を有することで、上述の、蓄電素子１２２の、コンテナ１０外部の熱からの保護等の効果を得ることは可能である。
【０１０４】
また、図２及び図７において、ラック１１０に収容された複数の蓄電モジュール１２０がラック１１０の外部から視認可能なように図示されているが、ラック１１０は、外装体に覆われていてもよい。つまり、ラック１１０は、複数の蓄電モジュール１２０を収容する内部空間と、ラック１１０の外部の空間との間を区画する外装体を有してもよい。また、この外装体は、ラック１１０の全体を覆うように設けられてもよく、蓄電装置１００ごと（図２参照）に設けられてもよい。ラック１１０が外装体を有することで、例えば、ラック１１０内の要素（蓄電モジュール１２０及びケーブル等）の保護が図られる。また、例えば何らかのトラブルの発生時において、ラック１１０の前方（Ｘ軸方向プラス側）の空間に立ち入った作業員の安全性も向上する。
【０１０５】
ここで、コンテナ型蓄電ユニット１は、設置に係る作業を容易化するための構造を有するコンテナとして、図２、図６〜図１０に示される構造とは異なる構造のコンテナを備えてもよい。そこで、コンテナ型蓄電ユニット１が備えるコンテナについての各種の変形例を、上記実施の形態との差分を中心に説明する。
【０１０６】
（変形例１）
図１２は、実施の形態の変形例１に係るコンテナ１０ａの特徴部分を示す斜視図である。具体的には、図１２には、本変形例に係るコンテナ１０ａの枠体２０の一部が図示されており、蓄電素子１２２が載置される棚板３２は、点線で図示されている。
【０１０７】
図１２に示すように、本変形例に係るコンテナ１０ａの枠体２０は、図１０に示す枠体２０と同じく、上下方向において対向して配置された１対の下部梁２５と上部梁２８との間を渡すように配置された内部柱４０を有している。
【０１０８】
本変形例では、この内部柱４０から、内部柱４０に最も近い側壁柱２１とは逆向きに、支持部材３１が突出している点で、上記実施の形態とは異なる。つまり、本変形例では、コンテナ１０の壁際ではなく、コンテナ１０のＸ軸方向の中央寄りに、蓄電モジュール１２０が配置される。
【０１０９】
この場合、例えば、コンテナ１０の壁際に、人の立ち入りが可能な空間を形成することができる。さらに、例えば、図１２に示す内部柱４０及び支持部材３１を含むラック１１０を挟んで両側に、人の立ち入りが可能な空間を形成することができる。これにより、例えば、ラック１１０に収容された蓄電モジュール１２０のメンテナンス等の作業を、ラック１１０の両面から行うことが可能となる。
【０１１０】
また、図１２には図示していないが、例えば、Ｘ軸方向において対向して配置された２本の内部柱４０を渡すように支持部材３１を配置することで、これら２本の内部柱４０及び支持部材３１を含むラック１１０の信頼性を向上させることができる。
【０１１１】
なお、図１２では、棚板３２が１段のみ点線で図示されているが、棚板３２の段数は２以上であってもよい。つまり、内部柱４０の長手方向に複数の支持部材３１が配置され、それぞれの支持部材３１に棚板３２が取り付けられてもよい。
【０１１２】
このように、支持部材３１が、側壁柱２１とは異なる柱に固定される場合であっても、当該柱が枠体２０の一部であることで、ラック１１０の転倒防止のための固定部材の設置及びその調整が不要である等の効果は発揮される。つまり、本変形例に係るコンテナ１０ａを備えるコンテナ型蓄電ユニット１によれば、上記実施の形態に係るコンテナ型蓄電ユニット１と同じく、設置に係る作業を容易化することができる。
【０１１３】
（変形例２）
図１３は、実施の形態の変形例２に係るコンテナ１０ｂの特徴部分を示す斜視図である。具体的には、図１３には、本変形例に係るコンテナ１０ｂの枠体２０の一部が図示されており、蓄電素子１２２が載置される棚板３２は、点線で図示されている。
【０１１４】
図１３に示すように、本変形例に係るコンテナ１０ｂでは、枠体２０に固定された支持部材３１を備える。この点においては、上記実施の形態に係るコンテナ１０と共通する。しかし、本変形例に係るコンテナ１０ｂでは、上下方向において対向する一対の下部横柱２３及び上部横柱２６の間に配置された、中部横柱２９に、支持部材３１が固定されている点で上記実施の形態とは異なる。
【０１１５】
中部横柱２９は、枠体２０の一部であって、長手方向（Ｙ軸方向）の両端が隅柱２２に固定された長尺状部材である。そのため、「柱」ではなく「梁」と表現することもできる。本変形例に係る中部横柱２９は、例えば、複数の側壁柱２１それぞれに設けられた孔または開口を貫通して配置されており、各側壁柱２１とは、例えば溶接によって接続されている。なお、中部横柱２９は、例えば、Ｙ軸方向において隣り合う２本の側壁柱２１の間のみを接続する長尺状部材が、Ｙ軸方向に並ぶことで構成されてもよい。
【０１１６】
このように構成された枠体２０において、支持部材３１を中部横柱２９に固定することで、枠体２０の一部を利用した、支持部材３１を含むラック１１０を構成することができる。また、中部横柱２９の長手方向（Ｙ軸方向）の任意の位置に、支持部材３１を溶接等で固定することができる。そのため、側壁柱２１に支持部材３１を固定する場合よりも、１以上の支持部材３１の配置位置、または、複数の支持部材３１の間隔についての自由度が向上する。
【０１１７】
なお、図１３に示すように、枠体２０が中部横柱２９を有する場合において、複数の支持部材３１のうちのいずれかが、側壁柱２１に固定されてもよい。
【０１１８】
また、中部横柱２９の上下方向の位置、及び、中部横柱２９の数等の、中部横柱２９についての仕様は、図１３に示される仕様に限定されない。例えば、上下方向に４本の中部横柱２９が配置され、かつ、それぞれに１以上の支持部材３１が固定されることで、複数段の棚板３２が配置されてもよい。
【０１１９】
このように、支持部材３１が、上下方向とは異なる方向に延設された柱に固定される場合であっても、当該柱が枠体２０の一部であることで、ラックの転倒防止のための固定部材の設置及びその調整が不要である等の効果は発揮される。つまり、本変形例に係るコンテナ１０ｂを備えるコンテナ型蓄電ユニット１によれば、上記実施の形態に係るコンテナ型蓄電ユニット１と同じく、設置に係る作業を容易化することができる。
【０１２０】
（その他）
以上、本発明に係る蓄電素子について、実施の形態及びその変形例に基づいて説明した。しかしながら、本発明は、実施の形態及びその変形例に限定されるものではない。本発明の趣旨を逸脱しない限り、当業者が思いつく各種変形を実施の形態またはその変形例に施したものも、あるいは、上記説明された複数の構成要素を組み合わせて構築される形態も、本発明の範囲内に含まれる。
【０１２１】
例えば、上記実施の形態及びその変形例では、コンテナ型蓄電ユニット１は、コンテナ１０の内部に、蓄電装置１００とパワーコンディショナ２００と制御装置３００とを備えていることとした。しかし、コンテナ型蓄電ユニット１は、パワーコンディショナ２００及び／または制御装置３００を備えていない構成でもかまわない。つまり、コンテナ型蓄電ユニット１は、１以上の蓄電装置１００を備えていればよい。
【０１２２】
また、コンテナ１０の内部の空間を仕切る間仕切壁１７は、コンテナ１０に必須の要素ではない。例えば、コンテナ型蓄電ユニット１がパワーコンディショナ２００を備えない場合、間仕切壁１７はなくてもよい。
【０１２３】
また、上記実施の形態及びその変形例では、支持部材３１は、棚板３２を介して蓄電素子１２２を支持するとしたが、支持部材３１が、直接的に蓄電素子１２２を支持してもよい。また、支持部材３１は、蓄電素子１２２を下方から支持しなくてもよい。例えば、支持部材３１から吊り下げられた棚板３２に、１以上の蓄電素子１２２（１以上の蓄電モジュール１２０）が載置されてもよい。つまり、支持部材３１は、１以上の蓄電素子１２２を吊り下げ状に支持してもよい。
【０１２４】
また、支持部材３１の形状も、枠体２０の一部である柱または梁からコンテナ１０の内部に向けて突出した形状でなくてもよい。
【０１２５】
例えば、Ｙ軸方向に延設され、かつ、１以上の側壁柱２１に固定された平板状の部材が、支持部材としてコンテナ１０に備えられてもよい。この場合、例えば、当該支持部材に１以上の位置に棚板３２を固定する。これにより、枠体２０の一部を利用して構成された、当該支持部材及び１以上の棚板３２を含む、蓄電素子１２２を収容するラックを得ることができる。
【０１２６】
また、例えば、コンテナ１０内において、枠体２０の一部から支持部材が上下方向に突出して設けられていてもよい。例えば、枠体２０の一部である下部梁２５または上部梁２８からコンテナ１０の内部に向けて延設された長尺状の部材が、支持部材として用いられてもよい。この場合、当該支持部材の上下方向の１以上の位置に棚板３２を固定する。これにより、枠体２０の一部を利用して構成された、当該支持部材及び１以上の棚板３２を含む、蓄電素子１２２を収容するラックを得ることができる。
【０１２７】
また、コンテナ１０が備えるラックは、柱と支持部材とで構成される基本構造に加え、補強のための部材を有してもよい。図１４は、実施の形態に係るラック１１０に配置された補強部材の例を示す斜視図である。
【０１２８】
図１４の（ａ）に示すラック１１０では、支持部材３１の両端を固定する、Ｘ軸方向に並ぶ２本の内部柱４０の間に、さらに内部柱４０ａが配置されている。図１４の（ａ）において、最も左側（Ｙ軸方向で最もマイナス側、以下同じ）の４つの支持部材３１は、当該２本の内部柱４０と、その間に配置された内部柱４０ａとに固定されている。これにより、内部柱４０ａは、ラック１１０全体に対する補強部材として機能する。その結果、ラック１１０の強度が向上される。
【０１２９】
なお、図１４の（ａ）に示す例では、ラック１１０の最も左側の２本の内部柱４０の間にのみ内部柱４０ａが配置されているが、内部柱４０ａは、例えば、Ｘ軸方向に並ぶ一対の内部柱４０の間の位置であれば、どの位置に配置されてもよい。
【０１３０】
図１４の（ｂ）に示すラック１１０では、支持部材３１の両端を固定するＸ軸方向に並ぶ２本の内部柱４０の間に、これら２本の内部柱４０と、コンテナ１０の床面とを斜めに接続するブレース部材４５が配置されている。ブレース部材４５は、主として、当該２本の内部柱４０のＸ軸方向の傾きを規制する補強部材として機能し、これにより、ラック１１０の強度が向上される。
【０１３１】
なお、図１４の（ｂ）に示す例では、ラック１１０の最も左側の２本の内部柱４０の間にのみブレース部材４５が配置されているが、ブレース部材４５は、少なくとも１本の内部柱４０とコンテナ１０の床面とを接続するように配置されれば、どの位置に配置されてもよい。
【０１３２】
また、内部柱４０ａ及びブレース部材４５のそれぞれは、下部梁２５（例えば図８参照）に固定されていてもよく、下部梁２５の上に配置された、床面を形成する板状部材に固定されていてもよい。内部柱４０ａ及びブレース部材４５のそれぞれは、下部梁２５に固定されている場合、ラック１１０に対する高い補強効果が得られる点で好ましい。
【産業上の利用可能性】
【０１３３】
本発明は、１以上の蓄電素子をコンテナに収納したコンテナ型蓄電ユニット等に適用できる。
【符号の説明】
【０１３４】
１  コンテナ型蓄電ユニット
２  商用電力系統
３  電力負荷
１０、１０ａ、１０ｂ  コンテナ
１１  下壁部
１２、１３、１４、１５  側壁部
１２ａ、１３ａ  開閉扉
１４ａ  外板
１４ｂ  内張板
１４ｃ  断熱材
１６  上壁部
１７  間仕切壁
２０  枠体
２１  側壁柱
２２  隅柱
２３、２４  下部横柱
２５  下部梁
２６、２７  上部横柱
２８  上部梁
２９  中部横柱
３１  支持部材
３２  棚板
４０、４０ａ  内部柱
４５  ブレース部材
７０  断熱材
１００、１０１〜１０８  蓄電装置
１１０  ラック
１２０  蓄電モジュール
１２１  収容ケース
１２２  蓄電素子
１２２ａ  容器蓋体
１２２ｂ  容器本体
１２２ｃ  正極端子
１２２ｄ  負極端子
１２２ｅ  正極集電体
１２２ｆ  負極集電体
１２２ｇ  電極体
２００、２０１、２０２  パワーコンディショナ
３００  制御装置
５１０、５２０  電源線
５３０、５４０  通信線
【図１】
0006699089.tif 000002
【図２】
0006699089.tif 000003
【図３】
0006699089.tif 000004
【図４】
0006699089.tif 000005
【図５】
0006699089.tif 000006
【図６】
0006699089.tif 000007
【図７】
0006699089.tif 000008
【図８】
0006699089.tif 000009
【図９】
0006699089.tif 000010
【図１０】
0006699089.tif 000011
【図１１】
0006699089.tif 000012
【図１２】
0006699089.tif 000013
【図１３】
0006699089.tif 000014
【図１４】
0006699089.tif 000015